(57)【要約】  電気で駆動する車両に対して着脱可能なバッテリを管理する複数の管理装置と通信するサーバは、車両で使用されたバッテリには、車両に取り付けられてから取り外されるまでに車両においてバッテリがどのように使用されたかを示す使用履歴情報が書き込まれており、複数の管理装置のそれぞれは、バッテリを交換するためのステーションに配されており、サーバは、管理装置において車両で使用されたバッテリから読み出された使用履歴情報を、管理装置から受信する受信部と、車両が走行する環境に関する環境情報を取得する環境取得部と、環境取得部で取得された環境情報と、受信部で受信された使用履歴情報とに基づいて、ステーションにストックされているバッテリの過不足を予測して出力する予測部とを備える。
2019181659.tif 000002
【特許請求の範囲】
【請求項１】
電気で駆動する車両に対して着脱可能なバッテリを管理する複数の管理装置と通信するサーバであって、
前記車両で使用された前記バッテリには、前記車両に取り付けられてから取り外されるまでに前記車両において前記バッテリがどのように使用されたかを示す使用履歴情報が書き込まれており、前記複数の管理装置のそれぞれは、前記バッテリを交換するためのステーションに配されており、
前記サーバは、
前記管理装置において前記車両で使用されたバッテリから読み出された前記使用履歴情報を、前記管理装置から受信する受信部と、
前記車両が走行する環境に関する環境情報を取得する環境取得部と、
前記環境取得部で取得された前記環境情報と、前記受信部で受信された前記使用履歴情報とに基づいて、前記ステーションにストックされている前記バッテリの過不足を予測して出力する予測部と
を備えるサーバ。
【請求項２】
前記環境情報は、天気に関する天気情報を含む、
請求項１に記載のサーバ。
【請求項３】
前記使用履歴情報は、前記車両で使用されたバッテリが前記車両に取り付けられてから取り外されるまでに前記車両が走行した経路の履歴を示す経路履歴情報を含む、
請求項１または２に記載のサーバ。
【請求項４】
前記車両で使用されたバッテリには前記車両のユーザの個体を識別するためのユーザＩＤが書き込まれており、
前記受信部は、前記管理装置において前記車両で使用されたバッテリから読み出された前記ユーザＩＤを、前記管理装置から受信し、
前記予測部で予測された前記過不足を解消するために、前記受信部で受信された前記ユーザＩＤに対応する前記ユーザに対して特定の前記ステーションで前記バッテリを交換することを推奨する推奨情報を、前記ユーザが所持している通信端末に送信する推奨部を更に備える、請求項１から３の何れか一項に記載のサーバ。
【請求項５】
前記推奨部による推奨に応じて、前記車両で使用されたバッテリを前記特定のステーションで交換した前記ユーザに対して報奨を与えるための報奨情報を、前記推奨に応じた前記ユーザの前記通信端末に送信する報奨部を更に備える、請求項４に記載のサーバ。
【請求項６】
前記予測部は、前記受信部で受信された前記使用履歴情報に基づいて、前記車両で使用されている前記バッテリの電力残量を予測し、
前記推奨部は、前記予測部で予測された前記バッテリの電力残量に基づいて、前記推奨情報を出力する、
請求項４または５に記載のサーバ。
【請求項７】
前記受信部は、前記通信端末で読み取られた、前記車両で使用されている前記バッテリの現在の電力残量を示す残量情報を、前記通信端末から受信し、
前記推奨部は、前記受信部で受信された前記残量情報に示される、前記車両で使用されているバッテリの現在の電力残量に基づいて、前記推奨情報を出力する、
請求項４から６の何れか一項に記載のサーバ。
【請求項８】
電気で駆動する車両に対して着脱可能なバッテリを管理する複数の管理装置と、
前記複数の管理装置と通信するサーバと
を備え、
前記車両で使用された前記バッテリには、前記車両に取り付けられてから取り外されるまでに前記車両において前記バッテリがどのように使用されたかを示す使用履歴情報が書き込まれており、
前記複数の管理装置のそれぞれは、前記バッテリを交換するためのステーションに配されており、前記車両で使用されたバッテリから、前記使用履歴情報を読み出して前記サーバに送信し、
前記サーバは、
前記複数の管理装置のそれぞれから前記使用履歴情報を受信する受信部と、
前記車両が走行する環境に関する環境情報を取得する環境取得部と、
前記環境取得部で取得された前記環境情報と、前記受信部で受信された前記使用履歴情報とに基づいて、前記ステーションにストックされている前記バッテリの過不足を予測して出力する予測部と
を有する、
管理システム。
【発明の詳細な説明】
【技術分野】
【０００１】
本発明は、サーバおよび管理システムに関する。
【背景技術】
【０００２】
時間期間に対するローミングＥＶの予測数を算出する予測ＥＶモデルを用いて、予想対象となる時間と天気情報とに基づき、ローミングＥＶに対して必要となる各種タイプの電池の予測数を計算するエネルギーフロー管理システムがある（例えば、特許文献１を参照）。当該予測ＥＶモデルは、例えば、履歴充電データにおいて、時間期間に充電スタンドに到来したＥＶの電池情報をタイプ及び容量毎にカウントすることで生成される。
［先行技術文献］
［特許文献］
［特許文献１］  特開２０１１−１９７９３２号公報
【解決しようとする課題】
【０００３】
しかしながら、上記システムでは、充電ステーションにおいて過去の特定の時間期間（例えば月曜の朝９時から１０時）に必要とされたタイプ及び容量毎の電池情報の統計データを用いて、将来の同じ時間期間に必要とされるタイプ毎の電池の数及び容量を計算するので、各ローミングＥＶのユーザが、どのような態様で電池を使用し、どのような周期や頻度で充電ステーションに電池を交換しに行っているのか、といったユーザ毎の情報に基づいて充電ステーションの電池需要を予測することができなかった。
【一般的開示】
【０００４】
本発明の一態様においては、サーバを提供する。サーバは、電気で駆動する車両に対して着脱可能なバッテリを管理する複数の管理装置と通信してもよい。車両で使用されたバッテリには、車両に取り付けられてから取り外されるまでに車両においてバッテリがどのように使用されたかを示す使用履歴情報が書き込まれてもよい。複数の管理装置のそれぞれは、バッテリを交換するためのステーションに配されてもよい。サーバは、管理装置において車両で使用されたバッテリから読み出された使用履歴情報を、管理装置から受信する受信部を備えてもよい。サーバは、車両が走行する環境に関する環境情報を取得する環境取得部を備えてもよい。サーバは、環境取得部で取得された環境情報と、受信部で受信された使用履歴情報とに基づいて、ステーションにストックされているバッテリの過不足を予測して出力する予測部を備えてもよい。
【０００５】
環境情報は、天気に関する天気情報を含んでもよい。使用履歴情報は、車両で使用されたバッテリが車両に取り付けられてから取り外されるまでに車両が走行した経路の履歴を示す経路履歴情報を含んでもよい。
【０００６】
車両で使用されたバッテリには車両のユーザの個体を識別するためのユーザＩＤが書き込まれてもよい。受信部は、管理装置において車両で使用されたバッテリから読み出されたユーザＩＤを、管理装置から受信してもよい。サーバは、予測部で予測された過不足を解消するために、受信部で受信されたユーザＩＤに対応するユーザに対して特定のステーションでバッテリを交換することを推奨する推奨情報を、ユーザが所持している通信端末に送信する推奨部を更に備えてもよい。
【０００７】
サーバは、推奨部による推奨に応じて、車両で使用されたバッテリを特定のステーションで交換したユーザに対して報奨を与えるための報奨情報を、推奨に応じたユーザの通信端末に送信する報奨部を更に備えもよい。予測部は、受信部で受信された使用履歴情報に基づいて、車両で使用されているバッテリの電力残量を予測してもよい。推奨部は、予測部で予測されたバッテリの電力残量に基づいて、推奨情報を出力してもよい。
【０００８】
受信部は、通信端末で読み取られた、車両で使用されているバッテリの現在の電力残量を示す残量情報を、通信端末から受信してもよい。推奨部は、受信部で受信された残量情報に示される、車両で使用されているバッテリの現在の電力残量に基づいて、推奨情報を出力してもよい。
【０００９】
本発明の一態様においては、管理システムを提供する。管理システムは、複数の管理装置を備えてもよい。複数の管理装置は、電気で駆動する車両に対して着脱可能なバッテリを管理してもよい。管理システムは、サーバを備えてもよい。サーバは、複数の管理装置と通信してもよい。車両で使用されたバッテリには、車両に取り付けられてから取り外されるまでに車両においてバッテリがどのように使用されたかを示す使用履歴情報が書き込まれてもよい。複数の管理装置のそれぞれは、バッテリを交換するためのステーションに配されてもよい。複数の管理装置のそれぞれは、車両で使用されたバッテリから、使用履歴情報を読み出してサーバに送信してもよい。サーバは、複数の管理装置のそれぞれから使用履歴情報を受信する受信部を有してもよい。サーバは、車両が走行する環境に関する環境情報を取得する環境取得部を有してもよい。サーバは、環境取得部で取得された環境情報と、受信部で受信された使用履歴情報とに基づいて、ステーションにストックされているバッテリの過不足を予測して出力する予測部を有してもよい。
【００１０】
なお、上記の発明の概要は、本発明の必要な特徴の全てを列挙したものではない。また、これらの特徴群のサブコンビネーションもまた、発明となりうる。
【図面の簡単な説明】
【００１１】
【図１】第１実施形態による電力ネットワーク１０の概略図である。
【図２】車両１００のブロック図である。
【図３】バッテリ２００のブロック図である。
【図４】運転履歴格納部２１３に格納される運転情報履歴情報のテーブルの一例である。
【図５】使用状況履歴格納部２１５に格納される使用状況履歴情報のテーブルの一例を示す。
【図６】通信端末７０のブロック図である。
【図７】ステーション３００のブロック図である。
【図８】管理装置４００のブロック図である。
【図９】サーバ５００のブロック図である。
【図１０】第１実施形態によるフロー図である。
【図１１】第２実施形態による電力ネットワーク１２の概略図である。
【図１２】第２実施形態によるフロー図である。
【図１３】本発明の複数の態様が全体的又は部分的に具現化されうるコンピュータ１２００の例を示す図である。
【発明を実施するための形態】
【００１２】
以下、発明の実施の形態を通じて本発明を説明するが、以下の実施形態は請求の範囲にかかる発明を限定するものではない。また、実施形態の中で説明されている特徴の組み合わせの全てが発明の解決手段に必須であるとは限らない。なお、図面において、同一または類似の部分には同一の参照番号を付して、重複する説明を省く場合がある。
【００１３】
図１は、第１実施形態による電力ネットワーク１０の概略図である。電力ネットワーク１０は、電気で駆動する車両１００に対して着脱可能なバッテリ２００を管理する管理システム２０と、変電装置３５を管理する電力会社３０の電力会社端末３２と、車両１００が走行する環境に関する環境情報を通信ネットワーク４０に配信する環境情報配信装置５０とを含む。なお電力会社３０、変電装置３５、および、変電装置３５に電力を供給する発電装置をまとめて電力系統と称する。
【００１４】
電力ネットワーク１０は、環境情報と、バッテリ２００がどのように使用されたかを示す使用履歴情報とに基づいて、ステーション３００にストックされているバッテリ２００の過不足を予測することで、バッテリ２００を活用してステーション３００をＶＰＰとして機能させ電力を融通する。
【００１５】
管理システム２０は、ユーザ６０によって使用される車両１００と、車両１００に装着されると車両１００との間で電力を充放電するバッテリ２００と、複数のバッテリ２００を収容して充放電するステーション３００とを備える。管理システム２０は更に、バッテリ２００を管理する管理装置４００と、通信ネットワーク４０を介して管理装置４００と通信するサーバ５００とを備える。通信ネットワーク４０は、有線、無線を問わない。
【００１６】
管理システム２０は更に、ユーザ６０によって所持される通信端末７０を備える。通信端末７０は例えばスマートフォンであって、通信ネットワーク４０を介してサーバ５００と通信する。通信端末７０は更に、Ｂｌｕｅｔｏｏｔｈ（登録商標）などの近距離無線通信手段により、バッテリ２００と通信する。管理装置４００は、バッテリ２００およびステーション３００を介して車両１００の情報を取得する。
【００１７】
図１の例では、電力会社３０はエリアＡおよびエリアＢを管轄している。エリアＡおよびエリアＢのそれぞれには、変電装置３５、ステーション３００および管理装置４００が１つずつ配されている。各エリア内において、変電装置３５はグリッド３７を介してステーション３００を含む需要者に電力を供給するとともに、当該需要者から電力を融通される。変電装置３５はさらに、電力不足のために節電を要請することを示す節電要請情報を管理装置４００に送信する。
【００１８】
ステーション３００は、車両１００で用いられるバッテリ２００を収容して充電する。さらに、ステーション３００は、バッテリ２００をユーザ６０に貸し出す。
【００１９】
管理装置４００は例えばＰＣであって、ステーション３００に配されるかまたは遠隔で、ステーション３００を管理する。具体的には、管理装置４００は、ステーション３００に収容されたバッテリ２００の充電、貸し出し、および、グリッド３７への放電を制御する。さらに、管理装置４００は、ステーション３００を介してバッテリ２００から取得した情報をサーバ５００に送信する。
【００２０】
サーバ５００は、電力会社端末３２から、各エリアで節電要請が見込まれる時間帯と、当該時間帯における不足電力とを示す節電予告情報を受信する。また、サーバ５００は、環境情報配信装置５０から各エリアの環境情報を受信し、管理装置４００からバッテリ２００の情報を受信する。さらに、サーバ５００は、節電予告情報、環境情報およびバッテリ２００の情報に基づいて、各ステーション３００にストックされているバッテリ２００の過不足を予測する。さらに、サーバ５００は、バッテリ２００の過不足を予測した出力結果に基づき、バッテリ２００の過不足を解消するための処理をする。
【００２１】
サーバ５００が管理装置４００から受信するバッテリ２００の情報は、バッテリ２００が車両１００に取り付けられてから取り外されるまでの間、すなわちバッテリ２００の取り付け期間に、車両１００においてバッテリ２００がどのように使用されたかを示す使用履歴情報を含む。また、サーバ５００が管理装置４００から受信するバッテリ２００の情報は、車両１００のユーザ６０の個体を識別するためのユーザＩＤを含む。
【００２２】
環境情報配信装置５０は、環境情報を配信する。環境情報配信装置５０は、例えば環境省のウェブサーバや、国土交通省のウェブサーバなどである。環境情報は、各エリアの天気に関する天気情報、各エリアの道路における渋滞情報、各エリアの道路における工事情報、などを含む。
【００２３】
本実施形態において、車両１００は自動二輪車である。これに代えてまたはこれに加えて、車両１００は自動四輪車や電動自転車などであってもよい。
【００２４】
図２は、車両１００のブロック図である。車両１００は、バッテリ２００を収容するバッテリ収容部１０１と、条件格納部１２１および車両ＩＤ格納部１２３を含む格納部１２０とを備える。バッテリ収容部１０１は、バッテリ２００を収容するとともに電気的に接続する。
【００２５】
条件格納部１２１は、車両１００のユーザ６０の運転性向を判断するための運転性向判断条件、バッテリ２００の適正範囲内のＳＯＣ（Ｓｔａｔｅｓ  ｏｆ  Ｃｈａｒｇｅ）条件、および、バッテリ２００の適正範囲内の温度条件を格納する。適正範囲内のＳＯＣ条件とは、予め定められた適正下限ＳＯＣを下回らないことを含む。適正範囲内の温度条件とは、予め定められた適正上限温度を上回らず、且つ、予め定められた適正下限温度を下回らないことを含む。車両ＩＤ格納部１２３は、車両１００の個体を識別するための車両ＩＤを格納する。車両ＩＤは、例えばＶＩＮ（Ｖｅｈｉｃｌｅ  Ｉｄｅｎｔｉｆｉｃａｔｉｏｎ  Ｎｕｍｂｅｒ）を含む。
【００２６】
車両１００は更に、充放電量計測部１０３とバッテリ温度計測部１０７とを備える。充放電量計測部１０３は、バッテリ２００に出入りする電流とバッテリ２００の電圧とを計測し、電流および電圧を積算して電力量を算出し、書込部１２５に出力する。バッテリ温度計測部１０７はバッテリ２００の温度を計測し、書込部１２５に出力する。
【００２７】
車両１００は更に、バッテリ２００のブレーキ操作によって車両１００で生成された回生電力をバッテリ２００に充電する回生電力充電部１０９を備える。
【００２８】
車両１００は更に、ＳＯＣを算出するＳＯＣ算出部１０５を備える。ＳＯＣ算出部１０５は、充放電量計測部１０３からバッテリ２００の電圧を入力され、バッテリ温度計測部１０７からバッテリ２００の温度を入力されると、バッテリ２００のＳＯＣを算出する。
【００２９】
より具体的には、ＳＯＣ算出部１０５は、予め測定されたバッテリ２００の無負荷時放電特性（ＯＣＶ［Ｏｐｅｎ  Ｃｉｒｃｕｉｔ  Ｖｏｌｔａｇｅ］）、温度特性、特定の条件下で予め測定されたバッテリ２００のＳＯＣ−ＯＣＶ曲線などの測定データがリファレンスとしてバッテリ２００に書き込まれていることを前提として、バッテリ２００に書き込まれた当該測定データを読み出す。ＳＯＣ算出部１０５は、充放電量計測部１０３およびバッテリ温度計測部１０７から入力されるバッテリ２００の電圧および温度と、バッテリ２００から読み出した測定データとを用いて、インピーダンス・トラック方式によりバッテリ２００のインピーダンスを常時補足し、バッテリ２００から読み出したＳＯＣ−ＯＣＶ曲線を更新、すなわちバッテリ２００に書き込む。ＳＯＣ算出部１０５は、更新したＳＯＣ−ＯＣＶ曲線と充放電量計測部１０３から入力されるバッテリ２００の現在の電圧とに基づいて、バッテリ２００の現在のＳＯＣを算出し、書込部１２５に出力する。ＳＯＣ算出部１０５はまた、条件格納部１２１を参照することにより、バッテリ２００が車両１００に取り付けられてから取り外されるまでの期間である取り付け期間におけるバッテリ２００のＳＯＣが適正範囲内であるか否かを判断し、書込部１２５に出力する。
【００３０】
車両１００は更に、現在の日時を計測して書込部１２５に出力する日時計測部１１２と、車両１００の現在の位置情報を取得して書込部１２５に出力する位置情報取得部１１１と、車両１００の加速度を計測して書込部１２５に出力する加速度計測部１１３とを備える。
【００３１】
位置情報取得部１１１は、例えばＧＰＳ（全地球測位システム）から車両１００の位置の緯度及び経度を表すＧＰＳデータを取得し、ＧＰＳデータに示される車両１００の位置が含まれる上記のエリア、例えばエリアＡやエリアＢなどを車両１００の現在の位置情報として出力する。また、位置情報取得部１１１は、取得したＧＰＳデータそのものを、車両１００の現在の位置情報として出力する。
【００３２】
日時計測部１１２は、例えば車両１００のイグニッションスイッチがＯＮになってからＯＦＦになるまでの１ドライブサイクルの時間帯および曜日を計測して出力する。
【００３３】
車両１００は更に、車両１００の１ドライブサイクル当たりの連続走行時間を計測して書込部１２５に出力する走行時間計測部１１５と、車両１００の１ドライブサイクル当たりの連続走行距離を計測して書込部１２５に出力する走行距離計測部１１７とを備える。
【００３４】
車両１００は更に、書込部１２５から入力された情報、および、条件格納部１２１に格納されている運転性向判断条件に基づき、車両１００のユーザ６０の運転性向を判断して書込部１２５に出力する運転性向判断部１１９を備える。運転性向判断部１１９は、当該運転性向判断条件に基づいて、加速重視型、省エネ重視型、長距離運転指向、長時間運転指向、短距離運転指向または短時間運転指向のいずれに該当するかを判断する。
【００３５】
上記の書込部１２５は、車両１００の各構成から入力される複数の情報を、車両ＩＤ格納部１２３に格納された車両ＩＤと共にバッテリ２００に書き込む。
【００３６】
図３は、バッテリ２００のブロック図である。バッテリ２００は車両１００から取り外された状態でユーザ６０により持ち運び可能な、いわゆるモバイルバッテリである。
【００３７】
バッテリ２００は、車両１００から入力される複数種類の情報等を格納する格納部２１０と、ユーザ６０によって所持される通信端末７０と通信する通信部２３０と、バッテリ２００の現在の劣化状態を表示する劣化表示部２４０とを備える。
【００３８】
格納部２１０は、バッテリ２００の使用履歴情報を格納する使用履歴情報格納部２１１と、バッテリ２００に関するバッテリ情報を格納するバッテリ情報格納部２１７とを含む。
【００３９】
使用履歴情報は、バッテリ２００が車両１００の取り付け期間に、車両１００においてバッテリ２００がどのように使用されたかを示す。使用履歴情報には、車両１００の運転履歴を示す運転履歴情報と、バッテリ２００の使用状況の履歴を示す使用状況履歴情報とが含まれる。これに対応して、使用履歴情報格納部２１１は運転履歴情報を格納する運転履歴格納部２１３と、使用状況履歴情報を格納する使用状況履歴格納部２１５とを含む。
【００４０】
運転履歴情報は、例えば、バッテリ２００の取り付け期間に車両１００が走行した経路の履歴を示す経路履歴情報を含む。また、運転履歴情報は、例えば、バッテリ２００の取り付け期間における、車両１００の１ドライブサイクル当たりの連続走行距離、連続走行時間、急加減速回数、走行時間帯、走行曜日、走行エリアなどの履歴情報の他、バッテリ２００の取り付け期間の全ドライブサイクルの累積走行距離、累積走行時間などを含む。運転履歴情報には、さらに、上述した運転性向が含まれる。
【００４１】
使用状況履歴情報は、例えば、バッテリ２００の取付日時、バッテリ２００の取り付け期間における、バッテリ２００のＳＯＣ、充電量および放電量、バッテリ２００の温度が予め定められた適正上限温度以上となった回数、バッテリ２００の温度が予め定められた適正下限温度以下となった回数などの履歴情報を含む。使用状況履歴情報は、バッテリ２００の取り付け期間におけるバッテリ２００のＳＯＣが適正範囲内であるか否かの情報を含み、上述の通り、当該情報は車両１００によって判断されて書き込まれる。
【００４２】
使用状況履歴情報は、バッテリ２００の取り付け期間におけるバッテリ２００の温度履歴そのものを含んでもよい。また、使用状況履歴情報は、バッテリ２００の取り付け期間における車両１００の走行時の情報だけでなく、当該期間における車両１００の走行時以外の情報、例えばバッテリ２００の自然放電や経年劣化などに起因する情報を含んでもよい。また、使用状況履歴情報は、バッテリ２００の取り付け期間の、バッテリ２００の劣化の度合いを示す劣化度（ＳＯＨ［Ｓｔａｔｅｓ  ｏｆ  Ｈｅａｌｔｈ］）、劣化度を段階的に示す劣化等級、劣化等級の変化などの情報を含んでもよく、当該情報は管理装置４００によって判断されて書き込まれる。代替的に、当該劣化度の情報は、車両１００の走行中に車両１００によって算出されてもよい。
【００４３】
ここで、バッテリ２００の劣化度（ＳＯＨ）は、バッテリ２００が未使用の状態におけるバッテリ２００の容量に対する、バッテリ２００の現状態におけるバッテリ２００の容量の比の百分率である容量維持率で表される。劣化度（ＳＯＨ）は、バッテリ２００の公称容量に対する現在の容量の割合を百分率で示した値とも定義できる。
【００４４】
また、使用状況履歴情報は、バッテリ２００の取り付け期間におけるバッテリ２００の劣化度が適正範囲内であるか否かの情報を含んでもよく、当該情報は管理装置４００によって判断されて書き込まれる。
【００４５】
バッテリ情報格納部２１７に格納されるバッテリ情報は、バッテリ２００の個体を識別するためのバッテリＩＤを含む。バッテリ情報は更に、予め測定されたバッテリ２００の無負荷時放電特性（ＯＣＶ）、温度特性、特定の条件下で予め測定されたバッテリ２００のＳＯＣ−ＯＣＶ曲線などの測定データを含む。バッテリ情報はまた、特定の条件下で計測されたバッテリ２００の公称容量を含んでもよい。また、バッテリ情報は更に、バッテリ２００の種別の情報や、バッテリ２００の現在の最大許容電流、最大許容電圧および最大許容温度の情報などを含んでもよい。バッテリ２００の現在の最大許容電流、最大許容電圧および最大許容温度の情報などは、車両１００の走行中に車両１００によって計測されることが好ましい。また、使用状況履歴格納部２１５に格納されているバッテリ２００のＳＯＣの情報、および、バッテリ２００の現在の劣化度の情報は、バッテリ情報としても用いられる。
【００４６】
通信部２３０は、ユーザ６０によって所持される通信端末７０との間で近距離無線通信を確立すると、バッテリ情報格納部２１７に格納されているバッテリ２００のＳＯＣの情報を、バッテリＩＤと共に通信端末７０に送信する。なお、バッテリ２００は、通信部２３０により、通信ネットワーク４０を介して管理装置４００およびサーバ５００の何れか又は両方と通信してもよい。
【００４７】
劣化表示部２４０は、バッテリ２００の現在の充電量である電力残量に拘わらず、バッテリ２００の現在の劣化度または劣化等級を外部から視認可能に表示する。劣化表示部２４０は、例えば１つ又は複数のＬＥＤを有し、ＬＥＤの表示色や点灯数などを変えることによって、バッテリ２００の現在の劣化度または劣化等級を表示してもよい。また、劣化表示部２４０は、例えば劣化度または劣化等級に応じて色の異なるラベルを貼り付けられることによって、バッテリ２００の現在の劣化度または劣化等級を表示してもよい。
【００４８】
図４は、運転履歴格納部２１３に格納される運転情報履歴情報のテーブルの一例である。当該テーブルにおいて、「参照番号」、「連続走行距離［ｋｍ］」、「連続走行時間［ｈ］」、「急加減速回数［回］」、「累積走行距離［ｋｍ］」、「累積走行時間［ｈ］」、「時間帯［時］」、「曜日」および「走行エリア」が対応付けて記録される。当該テーブルはユーザＩＤごと（または車両ＩＤごと）に記録されており、テーブルごとに「運転性向」が記録されている。
【００４９】
例えば、参照番号１の行には、連続走行距離が３ｋｍ、連続走行時間が０．４ｈ、急加減速回数が２回、累積走行距離が３ｋｍ、累積走行時間が０．４ｈ、時間帯が８〜９時、曜日が金曜、および、走行エリアがＡと記録されている。さらに、参照番号１から３までの３ドライブサイクル分の運転履歴データに基づき、当該バッテリ２００を借りて車両１００で使用しているユーザ６０の運転性向は短距離運転指向で加速重視型と判断された結果が記憶されている。
【００５０】
図５は、使用状況履歴格納部２１５に格納される使用状況履歴情報のテーブルの一例を示す。当該テーブルにおいて、「参照番号」、「ＳＯＣ」、「充電量［ｋＷｈ］」、「放電量［ｋＷｈ］」、「バッテリ温度≧適正上限温度［回］」および「バッテリ温度≦適正下限温度［回］」が対応付けて記録される。
【００５１】
例えば、参照番号１の行には、ＳＯＣが９８、充電量が０．０３ｋＷｈ、放電量が０．３ｋＷｈ、バッテリ温度≧適正上限温度となった回数が１回、および、バッテリ温度≦適正下限温度となった回数が０回と記録されている。なお、図４および図５の各テーブルの左端に記載された参照番号は相互に対応している。すなわち、同じ参照番号に示されているデータは、同じ１ドライブサイクルにおけるデータである。
【００５２】
図６は、通信端末７０のブロック図である。通信端末７０は、サーバ５００およびバッテリ２００と通信する通信部７１と、ユーザ６０に対して報奨を与えるための報奨情報などを表示する表示部７３を備える。
【００５３】
図７は、ステーション３００のブロック図である。ステーション３００は、複数のバッテリ２００を収容するバッテリ収容部３０１と、バッテリ収容部３０１に収容された複数のバッテリ２００に対して、読み出しおよび書き込みを行う読み書き部３０３、および、管理装置４００からの指示に従いバッテリ２００の充放電を制御する充放電部３０５とを備える。
【００５４】
バッテリ収容部３０１は、管理装置４００からの指示に基づいて、収容している特定のバッテリ２００を貸し出し可能な状態、すなわち外部から取り出し可能な状態にする。バッテリ収容部３０１は、収容している特定のバッテリ２００を外部から取り出し可能にすることに加えて、当該バッテリ２００の収容場所が外部から容易に識別できるよう、例えば当該収容場所に設けられているＬＥＤを点滅表示させたりしてもよい。
【００５５】
読み書き部３０３は、バッテリ収容部３０１にバッテリ２００が収容されたことを検出すると、バッテリ２００の情報を読み出して管理装置４００に出力する。また、読み書き部３０３は、管理装置４００からの指示に基づいて、管理装置４００から入力される情報をバッテリ２００に書き込む。
【００５６】
ステーション３００は更に、管理装置４００から入力される情報を表示する表示部３０７と、ユーザ６０による入力を受け付ける入力部３０９とを備える。表示部３０７および入力部３０９は、一体的なタッチパネルであってもよい。また、入力部３０９は、表示部３０７から独立して配されている押しボタンであってもよい。
【００５７】
表示部３０７は、バッテリ２００を返却したユーザ６０に対して、例えば複数のバッテリ２００の劣化等級および価格の一覧を表示してもよい。表示部３０７は、例えばバッテリ収容部３０１の画像を表示して当該画像内の特定の収容場所を点滅させることによって、管理装置４００がリコメンドする又は選択したバッテリ２００の収容場所をユーザ６０に視覚的に知らせてもよい。
【００５８】
表示部３０７は、管理装置４００から入力される報奨情報そのものを表示してもよい。この場合に、例えばバーコードを表示してユーザ６０の通信端末７０に読み取らせることによって通信端末７０に報奨情報を表示させてもよい。
【００５９】
入力部３０９は、バッテリ２００を返却したユーザ６０から入力される情報を管理装置４００に出力する。入力部３０９は、バッテリ収容部３０１に収容している特定のバッテリ２００の貸し出しを受け付けてもよい。
【００６０】
図８は、管理装置４００のブロック図である。管理装置４００は、ステーション３００にストックされているバッテリ２００から、バッテリ２００の情報を読み出す読出部４０１と、複数種類の情報を格納する格納部４２０とを備える。読出部４０１は、ステーション３００に対して、ユーザ６０から返却されたバッテリ２００の情報を読み出す指示を出力する。
【００６１】
格納部４２０は、バッテリ情報に対応する充放電パターンを格納する充放電パターン格納部４２３と、複数の判断条件を格納する条件格納部４２５とを含む。
【００６２】
条件格納部４２５は、バッテリ２００の劣化度から、バッテリ２００の劣化度を段階的に示す劣化等級を判断するための劣化等級条件を格納する。劣化等級条件は、例えば、劣化度（ＳＯＨ）と劣化等級との関係が、ＳＯＨ＝９１〜１００のときに劣化等級１、ＳＯＨ＝８１〜９０のときに劣化等級２、ＳＯＨ＝７１〜８０のときに劣化等級３、ＳＯＨ＝６１〜７０のときに劣化等級４、ＳＯＨ＝５１〜６０のときに劣化等級５、ＳＯＨ≦５０のときに使用不可能であることを含む。なお、管理装置４００は、使用不可能なバッテリ２００を回収対象と判断してもよい。条件格納部４２５はさらに、バッテリ２００の適正範囲内の劣化度条件を格納する。適正範囲内の劣化度条件とは、予め定められた適正下限劣化度を下回らないことを含む。
【００６３】
格納部４２０は更に、ステーション３００に返却されたバッテリ２００から読出部４０１が読み出した使用履歴情報を累積した情報である累積使用履歴情報を、当該バッテリ２００のバッテリＩＤに対応付けて格納する履歴格納部４２７を含む。履歴格納部４２７は、バッテリ２００が装着された車両１００の車両ＩＤと、当該車両１００で使用されていた期間における使用履歴情報とを、バッテリＩＤに対応付けて格納してもよい。
【００６４】
格納部４２０は更に、複数のＩＤのリストを格納するＩＤリスト格納部４２９を含む。ＩＤリスト格納部４２９は、ストックされているバッテリ２００を貸し出してよい、車両ＩＤの車両ＩＤリストおよびユーザＩＤのユーザＩＤリストを格納する。ＩＤリスト格納部４２９は更に、ストックされているバッテリ２００を貸し出してよいバッテリＩＤのバッテリＩＤリストを格納してもよい。
【００６５】
管理装置４００は更に、サーバ５００および変電装置３５と通信する通信部４０３を備える。管理装置４００は更に、ステーション３００にストックされている特定のバッテリ２００に対して、充放電を行うようステーション３００に指示する充放電指示部４０９、および、管理装置４００の各構成から入力される情報を書き込むようステーション３００に指示する書込部４１７を備える。
【００６６】
通信部４０３は、ステーション３００に返却されたバッテリ２００から読出部４０１が読み出した使用履歴情報およびユーザＩＤを読出部４０１から入力されると、使用履歴情報およびユーザＩＤをサーバ５００に送信する。通信部４０３はまた、変電装置３５から節電要請情報を受信すると、充放電指示部４０９に節電要請情報を出力する。なお、サーバ５００から配信される後述の推奨情報に応じてユーザ６０が特定のステーション３００でバッテリ２００を交換した場合も、通信部４０３は上記と同様に、読出部４０１から入力される使用履歴情報および当該ユーザ６０のユーザＩＤをサーバ５００に送信する。
【００６７】
充放電指示部４０９は、ユーザ６０によってステーション３００に返却されたバッテリ２００から読出部４０１が読み出したバッテリ情報を読出部４０１から入力されると、充放電パターン格納部４２３を参照し、当該バッテリ情報に対応する充放電パターンを判断して、ステーション３００の充放電部３０５に対する指示を出力する。
【００６８】
充放電指示部４０９は、通信部４０３から節電要請情報を入力されていない場合には、充放電部３０５にバッテリ２００への充電を指示する。この場合に充放電指示部４０９は、ステーション３００にストックされている各バッテリ２００から読出部４０１を介してバッテリ情報を読み出し、充放電パターン格納部４２３を参照してバッテリ情報に対応する充放電パターンを特定する。充放電指示部４０９は、特定した充放電パターンで充放電部３０５に電力系統からバッテリ２００への充電を指示する。
【００６９】
一方、充放電指示部４０９が通信部４０３から節電要請情報を入力された場合には、充放電部３０５にバッテリ２００からの放電を指示する。この場合、充放電指示部４０９は、ステーション３００にストックされている各バッテリ２００から読出部４０１を介してバッテリ情報を読み出し、充放電パターン格納部４２３を参照してバッテリ情報に対応する充放電パターンを特定する。充放電指示部４０９は、特定した充放電パターンで充放電部３０５にバッテリ２００からグリッド３７への放電を指示する。
【００７０】
書込部４１７は、ユーザ６０によってステーション３００に返却されたバッテリ２００から読出部４０１が読み出して履歴格納部４２７に格納されている使用履歴情報を、ユーザ６０に貸し出すバッテリ２００に書き込む指示を出力する。この場合、書込部４１７は、履歴格納部４２７に格納されている累積使用履歴情報も、ユーザ６０に貸し出すバッテリ２００に書き込む指示を出力してもよい。
【００７１】
管理装置４００は更に、ステーション３００に返却されたバッテリ２００の劣化度を算出する劣化度算出部４１１と、劣化度算出部４１１から入力される劣化等級に基づいて、バッテリ２００における劣化等級の表示態様を判断する表示判断部４１３、および、バッテリ２００の価格を判断する価格判断部４１５とを備える。表示判断部４１３および価格判断部４１５は、判断したバッテリ２００の表示態様およびバッテリ価格を、書込部４１７に出力する。
【００７２】
劣化度算出部４１１は、読出部４０１で読み出されたバッテリＩＤを入力されると、当該バッテリＩＤにより履歴格納部４２７に格納された累積使用履歴情報を抽出し、抽出した累積使用履歴情報に基づいてバッテリ２００の劣化の度合いを示す劣化度を算出し、出力する。なお、累積使用履歴情報に基づいてバッテリ２００の劣化度を算出することには、累積した運転履歴情報に基づいて劣化度を算出することも、累積した使用状況履歴情報に基づいて劣化度を算出することも含まれる。
【００７３】
劣化度算出部４１１は、条件格納部４２５に格納された劣化等級条件を参照することにより、算出したバッテリ２００の劣化度からバッテリ２００の劣化等級を判断し、表示判断部４１３、価格判断部４１５および書込部４１７に出力する。劣化度算出部４１１はさらに、バッテリ２００の劣化等級の変化を判断し、書込部４１７に出力する。劣化度算出部４１１はさらに、条件格納部４２５を参照することにより、バッテリ２００の取り付け期間におけるバッテリ２００の劣化度が適正範囲内であるか否かを判断し、書込部４１７に出力する。
【００７４】
管理装置４００は更に、ステーション３００にストックされている特定のバッテリ２００に対して貸出処理を行う貸出処理部４０７を備える。貸出処理部４０７は、バッテリ２００を貸し出してよいと判断した場合に、当該バッテリ２００を貸し出す指示をステーション３００に出力する。
【００７５】
この場合に、貸出処理部４０７は、読出部４０１で読み出された車両ＩＤが、ＩＤリスト格納部４２９に格納されている車両ＩＤリストに含まれる車両ＩＤと一致した場合に、ステーション３００にストックされているバッテリ２００を貸し出してよいと判断する。これに加えて、または、これに代えて、貸出処理部４０７は、読出部４０１で読み出されたユーザＩＤが、ＩＤリスト格納部４２９に格納されているユーザＩＤリストに含まれるユーザＩＤと一致した場合に、バッテリ２００を貸し出してよいと判断してもよい。さらに、これに代えて、または、これに加えて、貸出処理部４０７は、読出部４０１で読み出されたバッテリＩＤが、ＩＤリスト格納部４２９に格納されているバッテリＩＤリストに含まれるバッテリＩＤと一致した場合に、バッテリ２００を貸し出してよいと判断してもよい。
【００７６】
貸出処理部４０７は、通常は充電が完了したバッテリ２００を貸し出す。ただし、サーバ５００の予測部５０３により当該ステーション３００でバッテリ２００の過不足が予測された場合には、それに応じた充電量のバッテリ２００を貸し出すようにしてもよい。
【００７７】
図９は、サーバ５００のブロック図である。サーバ５００は、電力会社端末３２、通信端末７０、管理装置４００および環境情報配信装置５０と通信する通信部５０１と、通信部５０１から入力される情報に基づいて、ステーション３００にストックされているバッテリ２００の過不足を予測する予測部５０３とを備える。通信部５０１は、受信部および環境取得部の一例である。
【００７８】
サーバ５００は更に、予測部５０３で予測された過不足を解消するために、特定のステーション３００でバッテリ２００を交換することを推奨する推奨情報を、通信部５０１から通信端末７０に送信する推奨部５０５と、推奨部５０５による推奨に応じて上記の特定のステーション３００でバッテリ２００を交換したユーザ６０に対し、報奨を与えるための報奨情報を、通信部５０１から当該ユーザ６０の通信端末７０に送信する報奨部５０７とを備える。
【００７９】
サーバ５００は更に、報奨情報格納部５１１、管理装置情報格納部５１３および累積使用履歴情報格納部５１５を含む格納部５１０を備える。報奨情報格納部５１１は、報奨情報を格納し、管理装置情報格納部５１３は、複数の管理装置４００に関する情報、例えば各管理装置４００のＩＰアドレスや住所情報などを格納する。また、累積使用履歴情報格納部５１５は、累積使用履歴情報を格納する。累積使用履歴情報は、使用履歴情報をユーザＩＤと対応付けて累積したものを含む。
【００８０】
通信部５０１は、各エリアの節電予告情報を電力会社端末３２から受信すると、予測部５０３に出力する。通信部５０１はまた、管理装置４００によって車両１００で使用されたバッテリ２００から読み出された使用履歴情報およびユーザＩＤを、管理装置４００から受信すると、報奨部５０７および予測部５０３に出力する。通信部５０１はまた、各エリアの環境情報を環境情報配信装置５０から受信すると、予測部５０３に出力する。
【００８１】
予測部５０３は、通信部５０１から節電予告情報を入力されると、節電予告情報に示される各エリアで節電要請が見込まれる時間帯において、各ステーション３００から変電装置３５に融通可能な電力を、通信部５０１から入力される各エリアの環境情報および使用履歴情報に基づいて予測する。予測部５０３は更に、予測した融通可能な電力が、節電予告情報に示される上記の時間帯における不足電力に対して予め定められた割合の融通電力分と比較して、多いか少ないかを判断する。これにより予測部５０３は各ステーション３００でのバッテリ２００の過不足を予測する。
【００８２】
推奨部５０５は、予測部５０３からバッテリ２００の過不足の予測結果が入力されると、各ステーション３００のバッテリ２００の過不足を解消すべく、累積使用履歴情報格納部５１５に格納されているユーザＩＤに対応するユーザ６０の通信端末７０に推奨情報を送信して、ユーザ６０に特定の行動を促す。
【００８３】
例えば推奨情報は、上記の節電要請が見込まれる時間帯における、上記の予め定められた融通電力分を確保すべく、「バッテリ２００の不足が予測されるステーション３００で上記の時間帯から予め定められた時間分だけ前、例えば２時間前までにバッテリ２００を交換する」ことである。これに代えてまたはこれに加えて、推奨情報は、「バッテリ２００の不足が予測されるステーション３００で上記の時間帯の前後２時間を含む時間帯はバッテリ２００を交換しない」こと、「バッテリ２００の不足が予測されるステーション３００で上記の時間帯までに充電済のバッテリ２００を返却する」こと、「バッテリ２００が不足と予測されるステーション３００ではなくバッテリ２００が過多と予測されるステーション３００でバッテリ２００を交換する」こと、であってもよい。
【００８４】
報奨部５０７は、通信部５０１から使用履歴情報およびユーザＩＤを入力されると、累積使用履歴情報格納部５１５を参照し、推奨部５０５が推奨情報を送信したユーザ６０のユーザＩＤと、通信部５０１から入力されたユーザＩＤとが一致するか否かを判断する。一致する場合は、報奨情報格納部５１１を参照し、一致したユーザＩＤに対応する通信端末７０に対して、通信部５０１から報奨情報を送信する。
【００８５】
サーバ５００の予測部５０３による予測手法について、具体例を用いてさらに説明する。当該予測手法は、過去の実績若しくはシミュレーションに基づいて、またはＡＩの学習により設定される。当該予測手法は、数式、ソフトウェアの一部等として予測部５０３に記録される。
【００８６】
当該予測手法において、例えば、環境情報および使用履歴情報のそれぞれにおいて、対応するステーション３００で交換されるバッテリ２００の数が多くなる場合と少なくなる場合とに場合分けする。その場合に、交換されるバッテリ２００の数のそれぞれの場合の比率を用いて予測する。
【００８７】
例えば、環境情報の一例である天気情報により特定のエリアにおいて雨、雪、みぞれ、ヒョウ等が降ることが示されている場合、予測手法は、晴れ、曇り等の場合に比べて、当該エリアのステーション３００で交換されるバッテリ２００の数を一定割合少なく予測する。車両１００が自動四輪車の場合には、雨等が降ることが示されている場合、晴れ等の場合に比べて、交換されるバッテリ２００の数を多く予測してもよい。
【００８８】
また、渋滞情報により、特定のエリアに含まれる道路で渋滞することが示されている場合、予測手法は、当該エリアのステーション３００で交換されるバッテリ２００の数を少なく予測する。また、工事情報により、特定のエリアの道路で工事で通行止めになることが示されている場合、予測手法は、当該エリアのステーション３００で交換されるバッテリ２００の数を少なく予測する。一方、通行止め道路の迂回路を含むエリアのステーション３００で交換されるバッテリ２００の数を多く予測する。
【００８９】
さらに、当該予測手法を用いて、例えば使用履歴情報の一例である充電量および放電量に基づいて、特定の時間帯にステーション３００に返却されてくるバッテリ２００の充電残量を予測する。さらに、当該充電残量と、使用履歴情報の他の例である劣化等級とに基づいて、特定の時間帯にステーション３００に収容されているバッテリ２００から電力系統へ融通が可能な電力量を予測する。
【００９０】
この場合に、劣化等級が高くなるほどすなわち劣化がすすんでいるほど融通可能電力が低く設定され、これによりバッテリの長寿命化が図られる。例えば、劣化等級１の新品で６ｋＷ、劣化等級２で５ｋＷ、劣化等級３で４ｋＷ、劣化等級４で３ｋＷ、劣化等級５で２ｋＷ等と設定される。
【００９１】
さらなる具体例の説明のために、図１において下記の状況を仮定する。エリアＡおよびエリアＢには同じバッテリ収容数のステーションＡ、ステーションＢが設置されている。また、各エリアの節電要請予告情報には、エリアＡでは１４時から１６時の間に３０００ｋＷの電力不足が見込まれ、エリアＢでは８時から９時および１７時から１８時の間に１０００ｋＷの電力不足が見込まれると示されている。
【００９２】
また、ステーションＡ、ステーションＢの両方において、各時間帯の不足電力分の１％を電力融通するものと予め定められ、すなわち、ステーションＡは１４時から１６時の間に３０ｋＷ電力融通し、ステーションＢは８時から９時および１７時から１８時の間に１０ｋＷ電力融通するものと定められている。
【００９３】
上記状況において、天気情報によると、明日はエリアＡでは一日曇りになるが、エリアＢでは午前中に雪が降ると示されているとする。また、使用履歴情報によると、明日は平日であって、ステーションＡでは１４時から１６時の間にバッテリが全て貸し出し中になり、ステーションＢでは８時から９時および１７時から１８時の間にバッテリが４個残るという履歴があるとする。
【００９４】
予測部５０３は、天気情報から、例えば、エリアＡのステーションＡでは通常通りのバッテリ貸出量になるが、エリアＢのステーションＢでは通常よりも少ない、例えば通常の８割程度のバッテリ貸出量になると予測する。さらに予測部５０３は使用履歴情報も参照して、明日、ステーションＡでは１４時から１６時の間にバッテリが全て貸し出し中になり、ステーションＢでは８時から９時および１７時から１８時の間にバッテリが５個残ると予測する。
【００９５】
更に、予測部５０３は、ステーションＡでバッテリが０個であるから１４時から１６時の間における融通可能な電力は０ｋＷと予測する。一方、予測部５０３は、ステーションＢにおいて８時から９時および１７時から１８時の間に残る５個のバッテリの使用履歴情報に含まれる残充電量と劣化等級に基づいて、融通可能な電力が１５ｋＷと予測する。予測部５０３は更に、融通が要請されている電力と融通可能な電力とを対比して、ステーションＡでは１４時から１６時の間に３０ｋＷ不足し、ステーションＢでは８時から９時および１７時から１８時の間に５ｋＷ過多になると予測する。
【００９６】
上記例示の通り、予測部５０３が予測するバッテリ２００の過不足は、ステーション３００に収容されるバッテリ２００の個数、ステーション３００に収容される複数のバッテリ２００から電力系統に融通できる電力の量、電力系統から蓄電できる電力の量等を含む。
【００９７】
上記の予測結果に基づいて、推奨部５０５は、使用履歴情報を参照し、例えば、平日の日中は車両１００を使用しておらず劣化等級１のバッテリ２００をステーションＡで借りている履歴があるユーザ６０を複数人、例えば５人抽出する。さらに推奨部５０５は、１２時までにステーションＡにバッテリ２００を返却することを推奨する推奨情報を当該ユーザ６０の通信端末７０に送信する。
【００９８】
これに代えて推奨部５０５は、使用履歴情報を参照し、例えば、平日の午前中にステーションＡに劣化等級２で充電済のバッテリ２００を借りに来た履歴がある６人のユーザ６０を抽出し、「もし明日も通常通りステーションＡにバッテリ２００を借りに行く予定ならば劣化等級が高いバッテリ２００を借りる」ことを推奨したり、「ステーションＢに借りに行く」ことを推奨する推奨情報を送信してもよい。この場合、推奨部５０５は、使用履歴情報を参照し、例えば、ステーションＢを利用した履歴があるユーザ６０の通信端末７０に後者の推奨情報を送信してもよい。
【００９９】
推奨部５０５は、推奨情報に、バッテリ２００の過不足を解消できる程度に応じた推奨ランクを含めてもよい。そのような推奨情報の例は、「車に装着されているバッテリの現在の充電量が十分な方で明日お時間がある方は、明日の１４時までにステーションＡにバッテリを返却してください。報奨ランクはＳです。」、「明日の１２時から１８時の間にステーションＡで充電済のバッテリをお借りすることをご予定されている方は、ステーションＡではなくステーションＢに行ってください。報奨ランクはＡです。」、「明日の１４時までにステーションＡで充電済のバッテリをお借りすることをご予定されている方は、劣化等級５以上のバッテリを借りてください。報奨ランクはＢです。」である。報奨ランクは、例えばバッテリ貸出料金の割引、バッテリ貸出料金の支払いに利用できるポイントの付与、提携店舗で商品引換券の付与などの程度に反映される。なお、ユーザ６０は、例えばバッテリ２００の劣化表示部２４０によって、現在借りているバッテリ２００の劣化等級を確認できてもよい。
【０１００】
図１０は、第１実施形態によるフロー図である。車両１００にバッテリ２００が装着されているときに、車両１００が使用履歴情報およびユーザＩＤを予めバッテリ２００に書き込む（ステップＳ１０１）。バッテリ２００がステーション３００に返却されると、管理装置４００は、ステーション３００を介して、バッテリ２００に書き込まれている使用履歴情報およびユーザＩＤを読み出す（ステップＳ１０３）。
【０１０１】
管理装置４００は、読み出した使用履歴情報およびユーザＩＤをサーバ５００に送信し（ステップＳ１０５）、サーバ５００は、受信した使用履歴情報およびユーザＩＤを対応付けて格納する（ステップＳ１０７）。ステップＳ１０１〜Ｓ１０７を繰り返すことにより、サーバ５００は使用履歴情報をユーザＩＤと共に累積的に格納していく。
【０１０２】
サーバ５００は、電力会社端末３２から、ステーション３００が含まれるエリアにおける節電要請予告情報を受信すると（ステップＳ１０９）、環境情報配信装置５０が通信ネットワーク４０に配信している環境情報を取得し（ステップＳ１１１）、累積的に格納してある使用履歴情報と、環境情報とに基づいて、節電要請予告情報に示される時間帯における、ステーション３００にストックされているバッテリ２００の過不足を予測する（ステップＳ１１３）。
【０１０３】
サーバ５００は、過不足の予測結果に基づいて、推奨情報を特定のユーザ６０の通信端末７０に送信する（ステップＳ１１５）。通信端末７０を介して推奨情報を認知したユーザ６０は、推奨情報に示される推奨に応じて、上記の時間帯に又は当該時間帯の前後に、上記のステーション３００又は別のステーション３００にバッテリ２００を返却する。この場合においても、ステップＳ１０１〜１０５と同様に、ユーザ６０の車両１００に装着されているときに、車両１００が使用履歴情報およびユーザＩＤをバッテリ２００に書き込む（ステップＳ１１７）。当該バッテリ２００がステーション３００に返却されると、管理装置４００は、ステーション３００を介して、バッテリ２００に書き込まれている使用履歴情報およびユーザＩＤを読み出し（ステップＳ１１９）、読み出した使用履歴情報およびユーザＩＤをサーバ５００に送信する（ステップＳ１２１）。
【０１０４】
サーバ５００は、受信した使用履歴情報およびユーザＩＤを格納すると共に、当該ユーザＩＤが、推奨情報を送信したユーザ６０のユーザＩＤと一致するか否か、換言すると、推奨情報を送ったユーザ６０によるバッテリ返却であるか否かを判断する（ステップＳ１２３）。推奨情報を送ったユーザ６０によるバッテリ返却である場合（ステップＳ１２３：ＹＥＳ）、報奨情報を当該ユーザ６０の通信端末７０に送信し（ステップＳ１２５）、推奨情報を送ったユーザ６０によるバッテリ返却ではない場合（ステップＳ１２３：ＮＯ）、報奨情報を当該ユーザ６０の通信端末７０に送信しない。
【０１０５】
変電装置３５は、自己のエリア内が電力不足状態だと判断すると、節電要請情報を管理装置４００に送信する（ステップＳ１２７）。管理装置４００は、変電装置３５から節電要請情報を受信すると、ステーション３００にストックされている充電済のバッテリ２００を放電することにより、変電装置３５に電力融通する（ステップＳ１２９）。
【０１０６】
変電装置３５は、節電要請情報を配信したことに応答してステーション３００から電力融通を受けたと判断すると、融通電力量に応じた報酬をサーバ５００に提供する（ステップＳ１３１）。以上、図１０のフローはサーバ５００などの各装置が動作している間は繰り返し実行される。
【０１０７】
なお、ステップＳ１０１〜１０７では、使用履歴情報とともにユーザＩＤも送受信しているが、これに代えてユーザＩＤを送受信しなくてもよい。この場合には、ステップＳ１１３においてサーバ５００が統計的にバッテリ２００の過不足を予測する。
【０１０８】
上記実施形態において、予測部５０３がステーション３００におけるバッテリ２００の個数の過不足を予測した場合に、推奨情報を送ることに代えて、管理システム２０の管理会社の端末に過不足を解消するための指示を送信してもよい。例えば、今日の９時までに空のバッテリ２００を少なくとも１つ、エリアＡのステーション３００からエリアＢのステーション３００に搬送する指示を、通信部５０１から管理会社の端末に送信してもよい。また同様に、予測部５０３は、エリアＡのステーション３００で今日の１４時までに充電済のバッテリ２００を少なくとも２つ余分に用意できるよう、今日の１４時までに充電済のバッテリ２００を少なくとも２つ、エリアＢのステーション３００からエリアＡのステーション３００に搬送する指示を通信部５０１から管理会社の端末に送信してもよく、２時間の充電時間を見積もって今日の１２時までに空の又は十分に充電されていないバッテリ２００を少なくとも２つ、エリアＢのステーション３００からエリアＡのステーション３００に搬送する指示を通信部５０１から管理会社の端末に送信してもよい。
【０１０９】
上記実施形態において、サーバ５００は電力会社端末３２から節電要請予告情報を受信しているが、これに代えて、サーバ５００自身が電力系統の需給バランスを計算して節電要請予告情報を生成してもよい。この場合にサーバ５００は、複数のステーション３００における環境情報および使用履歴情報も用いて、電力系統の需給バランスを計算してもよい。
【０１１０】
さらにこの場合に、節電要請予告情報に代えて、または、これに加えて、サーバ５００は電力系統が供給過剰となる時間帯を予測し、当該過剰な供給分をバッテリ２００に充電するために、バッテリ２００の過不足を予測してもよい。当該予測は、電力系統に太陽光などの再生可能エネルギーで発電する発電装置が組み込まれている場合により有効である。
【０１１１】
上記実施形態において、予測部５０３は節電要請予告情報に示される時間帯におけるバッテリ２００の過不足を予測しているが、これに代えて、任意の時間帯におけるバッテリ２００の過不足を予測してもよい。
【０１１２】
上記実施形態において、予測部５０３は、特定のステーション３００に関して予測した融通可能な電力が上記の予め定められた割合の融通電力分よりも少ないと判断した場合に、推奨部５０５によりユーザ６０の行動を促している。これに代えて、または、これに加えて、予測部５０３は管理装置４００に指示を出力してもよい。例えば、予め定められた割合の融通電力分を可能な限り確保すべく、ステーション３００におけるバッテリ２００の貸し出しを、上記の時間帯よりも前から少なくとも当該時間帯が終了するまでの間は中止させたり制限させたり貸出料金を値上げさせたりする指示を、管理装置情報格納部５１３を参照して、通信部５０１から当該ステーション３００を制御している管理装置４００に送信してもよい。予測部５０３は、特定のステーション３００に関して予測した融通可能な電力が上記の予め定められた割合の融通電力分よりも多いと判断した場合、例えば、上記の時間帯において当該ステーション３００から変電装置３５に余剰分の電力を融通する指示を、管理装置情報格納部５１３を参照して、通信部５０１から特定の管理装置４００に送信してもよい。
【０１１３】
上記実施形態において、ＳＯＣ算出部１０５は、バッテリ２００から読み出したＳＯＣ−ＯＣＶ曲線を更新し、更新したＳＯＣ−ＯＣＶ曲線と充放電量計測部１０３から入力されるバッテリ２００の現在の電圧とに基づいて、バッテリ２００の現在のＳＯＣを算出するが、これに代えて、ＳＯＣ算出部１０５は、特定の条件下で計測されたバッテリ２００の公称容量をバッテリ２００から読み出し、同じ特定の条件下でバッテリ２００の現在の放電容量を計測し、公称容量に対する現在の放電容量の比としてＳＯＣを算出してもよい。また代替的に、ＳＯＣ算出部１０５は、特定の条件下で予め測定されたバッテリ２００のＳＯＣ−ＯＣＶ曲線をバッテリ２００から読み出し、同じ特定の条件下でバッテリ２００の現在の電圧を測定し、ＳＯＣ−ＯＣＶ曲線と照らし合わせることでＳＯＣを概算的に計測してもよい。
【０１１４】
以上、本実施形態によれば、サーバ５００が各ステーション３００の環境情報およびバッテリ２００の使用履歴情報に基づいて、各ステーション３００でのバッテリ２００の過不足を予測するので、複数のバッテリ２００を効率的に使用することができる。特に、当該過不足に基づいて、各ステーション３００と電力系統との間で電力を融通するので、各ステーション３００を電力ネットワーク１０におけるＶＰＰとして機能させることができる。
【０１１５】
特に、バッテリ２００が、ステーション３００で交換式のモバイルバッテリなので、電力の融通時に車両１００をステーション３００に待機させることなく、バッテリ２００を交換したら当該ステーション３００から移動することができる。よって、バッテリ２００のより一層の活用を促すことができる。また、車両１００が自動二輪車の場合、自動二輪車は他の車格に比べて小さく、駆動に必要なバッテリ２００のサイズも小さいので、ユーザ６０によるバッテリ２００の交換が容易である。そのため、ユーザ６０によるステーション３００でのバッテリ２００の交換を促すことができ、本実施形態の管理システム２０が好適である。
【０１１６】
図１１は第２実施形態による電力ネットワーク１２の概略図であり、図１２は第２実施形態によるフロー図である。電力ネットワーク１２は、各ステーション３００でのバッテリ２００の交換による過不足を予測し、複数のステーション３００間でバッテリ２００を融通しあう。
【０１１７】
図１１および図１２において、図１から図１０と同じ構成には同じ参照番号を付して説明を省略する。また、特に断らない限り、エリアＡおよびエリアＢは同様の動作を行うので、エリアＡでの動作の説明のみを行い、エリアＢでの説明は省略する。さらに、図１２のステップＳ２０１からＳ２０７は、図１０のステップＳ１０１からＳ１０７と同じなので説明を省略する。本実施形態において、サーバ５００は、エリアＡおよびエリアＢの、管理装置ＡおよびステーションＡごと、管理装置ＢおよびステーションＢごとに、使用履歴情報をユーザＩＤと共に累積的に格納していく。
【０１１８】
サーバ５００は、例えば毎日の深夜０時といった、予め定められた時刻が経過すると、環境情報配信装置５０が通信ネットワーク４０に配信している環境情報を取得し（ステップＳ２１１）、累積的に格納してある使用履歴情報と、環境情報とに基づいて、その日の任意の時間帯における、ステーションＡにストックされているバッテリ２００の過不足、および、ステーションＢにストックされているバッテリ２００の過不足を予測する（ステップＳ２１３）。
【０１１９】
サーバ５００は、過不足の予測結果に基づいて、推奨情報を特定のユーザ６０の通信端末７０に送信する（ステップＳ２１５）。推奨情報は、例えばバッテリ２００が不足するステーション３００よりも余っているステーション３００で交換することを促す内容である。具体的には「本日の１２時から１８時の間にステーションＢで充電済のバッテリをお借りすることをご予定されている方は、ステーションＢではなくステーションＡに行ってください。報奨ランクはＡです。」といったメッセージが含まれる。
【０１２０】
ユーザ６０が推奨情報に示される推奨に応じてバッテリ２００を返却する場合、ステップＳ２０１〜２０５と同様に、ユーザ６０の車両１００に装着されているバッテリ２００に対して、車両１００から使用履歴情報およびユーザＩＤを書き込む（ステップＳ２１７）。当該バッテリ２００がステーション３００に返却されると、管理装置４００は、ステーション３００を介して、バッテリ２００に書き込まれている使用履歴情報およびユーザＩＤを読み出し（ステップＳ２１９）、読み出した使用履歴情報およびユーザＩＤをサーバ５００に送信する（ステップＳ２２１）。
【０１２１】
サーバ５００は、受信した使用履歴情報およびユーザＩＤを格納すると共に、当該ユーザＩＤが、推奨情報を送信したユーザ６０のユーザＩＤと一致するか否か、換言すると、推奨情報を送ったユーザ６０によるバッテリ返却であるか否かを判断する（ステップＳ２２３）。推奨情報を送ったユーザ６０によるバッテリ返却である場合（ステップＳ２２３：ＹＥＳ）、報奨情報を当該ユーザ６０の通信端末７０に送信し（ステップＳ２２５）、当該報酬情報が通信端末７０の表示部７３され、当該フローは終了する。推奨情報を送ったユーザ６０によるバッテリ返却ではない場合（ステップＳ２２３：ＮＯ）、報奨情報を当該ユーザ６０の通信端末７０に送信しないで、当該フローは終了する。
【０１２２】
なお、ステップＳ２０１〜２０７では、使用履歴情報の移動にユーザＩＤを伴わせ、ステップＳ２１３では、サーバ５００がユーザ６０個人の行動履歴を利用してバッテリの過不足を予測してもよいが、ステップＳ２０１〜２０７においてユーザＩＤを同伴させず、ステップＳ２１３においてサーバ５００が統計的にバッテリの過不足を予測してもよい。
【０１２３】
以上、本実施形態によれば、サーバ５００が各ステーション３００の環境情報およびバッテリ２００の使用履歴情報に基づいて、各ステーション３００でのバッテリ２００の過不足を予測するので、複数のバッテリ２００を効率的に使用することができる。特に、当該過不足に基づいて、複数のステーション３００間でバッテリ２００を融通するので、電力ネットワーク１０の全体として、複数のバッテリ２００を効率的に使用することができる。
【０１２４】
上記いずれの実施形態においても、ステーション３００には、太陽光などの再生可能エネルギーで発電する発電装置が設けられてもよい。この場合に、サーバ５００は、ステーション３００に設けられた発電装置の電力供給に対するバッテリ２００の過不足を予測してもよい。これにより、ある時間帯において供給過剰によりバッテリ２００で充電できる電力量が超えることが予測された場合に、当該時間帯よりも前に充電されていない、または、充電の残量が低いバッテリ２００を当該ステーション３００に返却するよう推奨してもよい。
【０１２５】
上記いずれの実施形態においても、バッテリ２００は、例えば全固体電池、リチウムイオン電池など、充放電可能ないずれの種類の電池であってもよい。さらに、上記いずれの実施形態においても、ステーション３００には、バッファとしての緊急用バッテリが設けられていてもよい。緊急用バッテリは、例えば、劣化度が高くて貸し出し用バッテリとして用いることができない古いバッテリであってもよい。
【０１２６】
上記いずれの実施形態においても、サーバ５００の通信部５０１は、追加的に、通信ネットワーク４０を介して通信端末７０から、車両１００で使用されているバッテリ２００の現在の電力残量を示す残量情報をユーザＩＤと共に受信してもよい。この場合、推奨部５０５は、通信部５０１から入力される残量情報に示される現在の電力残量に基づいて、特定のユーザ６０の通信端末７０に推奨情報を送信してもよい。例えば、推奨部５０５は、特定の通信端末７０から受信した、バッテリ２００の現在の電力残量が予め定められた電力量よりも少ないと判断した場合に、当該通信端末７０に推奨情報を送信してもよい。
【０１２７】
上記いずれの実施形態においても、車両１００は、通信ネットワーク４０を介して管理装置４００およびサーバ５００の何れか又は両方と通信してもよい。
【０１２８】
上記いずれの実施形態においても、ステーション３００のバッテリ収容部３０１は、バッテリ２００を内部で移動可能な状態で保持し、外部入力に基づいて取出し口からバッテリ２００を排出する構成であってもよい。
【０１２９】
本発明の様々な実施形態は、フローチャートおよびブロック図を参照して記載されてよく、ここにおいてブロックは、（１）操作が実行されるプロセスの段階または（２）操作を実行する役割を持つ装置のセクションを表わしてよい。特定の段階およびセクションが、専用回路、コンピュータ可読媒体上に格納されるコンピュータ可読命令と共に供給されるプログラマブル回路、および／またはコンピュータ可読媒体上に格納されるコンピュータ可読命令と共に供給されるプロセッサによって実装されてよい。専用回路は、デジタルおよび／またはアナログハードウェア回路を含んでよく、集積回路（ＩＣ）および／またはディスクリート回路を含んでよい。プログラマブル回路は、論理ＡＮＤ、論理ＯＲ、論理ＸＯＲ、論理ＮＡＮＤ、論理ＮＯＲ、および他の論理操作、フリップフロップ、レジスタ、フィールドプログラマブルゲートアレイ（ＦＰＧＡ）、プログラマブルロジックアレイ（ＰＬＡ）等のようなメモリ要素等を含む、再構成可能なハードウェア回路を含んでよい。
【０１３０】
コンピュータ可読媒体は、適切なデバイスによって実行される命令を格納可能な任意の有形なデバイスを含んでよく、その結果、そこに格納される命令を有するコンピュータ可読媒体は、フローチャートまたはブロック図で指定された操作を実行するための手段を作成すべく実行され得る命令を含む、製品を備えることになる。コンピュータ可読媒体の例としては、電子記憶媒体、磁気記憶媒体、光記憶媒体、電磁記憶媒体、半導体記憶媒体等が含まれてよい。コンピュータ可読媒体のより具体的な例としては、フロッピー（登録商標）ディスク、ディスケット、ハードディスク、ランダムアクセスメモリ（ＲＡＭ）、リードオンリメモリ（ＲＯＭ）、消去可能プログラマブルリードオンリメモリ（ＥＰＲＯＭまたはフラッシュメモリ）、電気的消去可能プログラマブルリードオンリメモリ（ＥＥＰＲＯＭ）、静的ランダムアクセスメモリ（ＳＲＡＭ）、コンパクトディスクリードオンリメモリ（ＣＤ-ＲＯＭ）、デジタル多用途ディスク（ＤＶＤ）、ブルーレイ（ＲＴＭ）ディスク、メモリスティック、集積回路カード等が含まれてよい。
【０１３１】
コンピュータ可読命令は、アセンブラ命令、命令セットアーキテクチャ（ＩＳＡ）命令、マシン命令、マシン依存命令、マイクロコード、ファームウェア命令、状態設定データ、またはＳｍａｌｌｔａｌｋ、ＪＡＶＡ（登録商標）、Ｃ＋＋等のようなオブジェクト指向プログラミング言語、および「Ｃ」プログラミング言語または同様のプログラミング言語のような従来の手続型プログラミング言語を含む、１または複数のプログラミング言語の任意の組み合わせで記述されたソースコードまたはオブジェクトコードのいずれかを含んでよい。
【０１３２】
コンピュータ可読命令は、汎用コンピュータ、特殊目的のコンピュータ、若しくは他のプログラム可能なデータ処理装置のプロセッサまたはプログラマブル回路に対し、ローカルにまたはローカルエリアネットワーク（ＬＡＮ）、インターネット等のようなワイドエリアネットワーク（ＷＡＮ）を介して提供され、フローチャートまたはブロック図で指定された操作を実行するための手段を作成すべく、コンピュータ可読命令を実行してよい。プロセッサの例としては、コンピュータプロセッサ、処理ユニット、マイクロプロセッサ、デジタル信号プロセッサ、コントローラ、マイクロコントローラ等を含む。
【０１３３】
図１３は、本発明の複数の態様が全体的又は部分的に具現化されうるコンピュータ１２００の例を示す。コンピュータ１２００にインストールされたプログラムは、コンピュータ１２００に、本発明の実施形態に係る装置に関連付けられるオペレーション又は当該装置の１又は複数の「部」として機能させ、又は当該オペレーション又は当該１又は複数の「部」を実行させることができ、及び／又はコンピュータ１２００に、本発明の実施形態に係るプロセス又は当該プロセスの段階を実行させることができる。このようなプログラムは、コンピュータ１２００に、本明細書に記載のフローチャート及びブロック図のブロックのうちのいくつか又はすべてに関連付けられた特定のオペレーションを実行させるべく、ＣＰＵ１２１２によって実行されてよい。
【０１３４】
本実施形態によるコンピュータ１２００は、ＣＰＵ１２１２、ＲＡＭ１２１４、グラフィックコントローラ１２１６、及びディスプレイデバイス１２１８を含み、これらはホストコントローラ１２１０によって相互に接続される。コンピュータ１２００はまた、通信インターフェース１２２２、ハードディスクドライブ１２２４、ＤＶＤ−ＲＯＭドライブ１２２６、及びＩＣカードドライブのような入出力ユニットを含み、これらは入出力コントローラ１２２０を介してホストコントローラ１２１０に接続される。コンピュータはまた、ＲＯＭ１２３０及びキーボード１２４２のようなレガシの入出力ユニットを含み、これらは入出力チップ１２４０を介して入出力コントローラ１２２０に接続される。
【０１３５】
ＣＰＵ１２１２は、ＲＯＭ１２３０及びＲＡＭ１２１４内に格納されたプログラムに従い動作し、これにより各ユニットを制御する。グラフィックコントローラ１２１６は、ＲＡＭ１２１４内に提供されるフレームバッファ等又は当該グラフィックコントローラ１２１６自体の中に、ＣＰＵ１２１２によって生成されるイメージデータを取得し、イメージデータがディスプレイデバイス１２１８上に表示させる。
【０１３６】
通信インターフェース１２２２は、ネットワークを介して他の電子デバイスと通信する。ハードディスクドライブ１２２４は、コンピュータ１２００内のＣＰＵ１２１２によって使用されるプログラム及びデータを格納する。ＤＶＤ−ＲＯＭドライブ１２２６は、プログラム又はデータをＤＶＤ−ＲＯＭ１２０１から読み取り、ハードディスクドライブ１２２４にＲＡＭ１２１４を介してプログラム又はデータを提供する。ＩＣカードドライブは、プログラム及びデータをＩＣカードから読み取り、及び／又はプログラム及びデータをＩＣカードに書き込む。
【０１３７】
ＲＯＭ１２３０は、内部に、アクティブ化時にコンピュータ１２００によって実行されるブートプログラム等、及び／又はコンピュータ１２００のハードウェアに依存するプログラムを格納する。入出力チップ１２４０はまた、様々な入出力ユニットをパラレルポート、シリアルポート、キーボードポート、マウスポート等を介して、入出力コントローラ１２２０に接続してよい。
【０１３８】
プログラムが、ＤＶＤ−ＲＯＭ１２０１又はＩＣカードのようなコンピュータ可読記憶媒体によって提供される。プログラムは、コンピュータ可読記憶媒体から読み取られ、コンピュータ可読記憶媒体の例でもあるハードディスクドライブ１２２４、ＲＡＭ１２１４、又はＲＯＭ１２３０にインストールされ、ＣＰＵ１２１２によって実行される。これらのプログラム内に記述される情報処理は、コンピュータ１２００に読み取られ、プログラムと、上記様々なタイプのハードウェアリソースとの間の連携をもたらす。装置又は方法が、コンピュータ１２００の使用に従い情報のオペレーション又は処理を実現することによって構成されてよい。
【０１３９】
例えば、通信がコンピュータ１２００及び外部デバイス間で実行される場合、ＣＰＵ１２１２は、ＲＡＭ１２１４にロードされた通信プログラムを実行し、通信プログラムに記述された処理に基づいて、通信インターフェース１２２２に対し、通信処理を命令してよい。通信インターフェース１２２２は、ＣＰＵ１２１２の制御の下、ＲＡＭ１２１４、ハードディスクドライブ１２２４、ＤＶＤ−ＲＯＭ１２０１、又はＩＣカードのような記録媒体内に提供される送信バッファ領域に格納された送信データを読み取り、読み取られた送信データをネットワークに送信し、又はネットワークから受信した受信データを記録媒体上に提供される受信バッファ領域等に書き込む。
【０１４０】
また、ＣＰＵ１２１２は、ハードディスクドライブ１２２４、ＤＶＤ−ＲＯＭドライブ１２２６（ＤＶＤ−ＲＯＭ１２０１）、ＩＣカード等のような外部記録媒体に格納されたファイル又はデータベースの全部又は必要な部分がＲＡＭ１２１４に読み取られるようにし、ＲＡＭ１２１４上のデータに対し様々なタイプの処理を実行してよい。ＣＰＵ１２１２は次に、処理されたデータを外部記録媒体にライトバックしてよい。
【０１４１】
様々なタイプのプログラム、データ、テーブル、及びデータベースのような、様々なタイプの情報が、情報処理されるべく、記録媒体に格納されてよい。ＣＰＵ１２１２は、ＲＡＭ１２１４から読み取られたデータに対し、本開示の随所に記載され、プログラムの命令シーケンスによって指定される様々なタイプのオペレーション、情報処理、条件判断、条件分岐、無条件分岐、情報の検索／置換等を含む、様々なタイプの処理を実行してよく、結果をＲＡＭ１２１４に対しライトバックする。また、ＣＰＵ１２１２は、記録媒体内のファイル、データベース等における情報を検索してよい。例えば、各々が第２の属性の属性値に関連付けられた第１の属性の属性値を有する複数のエントリが記録媒体内に格納される場合、ＣＰＵ１２１２は、当該複数のエントリの中から、第１の属性の属性値が指定されている条件に一致するエントリを検索し、当該エントリ内に格納された第２の属性の属性値を読み取り、これにより予め定められた条件を満たす第１の属性に関連付けられた第２の属性の属性値を取得してよい。
【０１４２】
以上の説明によるプログラム又はソフトウェアモジュールは、コンピュータ１２００上又はコンピュータ１２００近傍のコンピュータ可読記憶媒体に格納されてよい。また、専用通信ネットワーク又はインターネットに接続されたサーバシステム内に提供されるハードディスク又はＲＡＭのような記録媒体が、コンピュータ可読記憶媒体として使用可能であり、これにより、プログラムをコンピュータ１２００にネットワークを介して提供する。
【０１４３】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。また、技術的に矛盾しない範囲において、特定の実施形態について説明した事項を、他の実施形態に適用することができる。また、各構成要素は、名称が同一で、参照符号が異なる他の構成要素と同様の特徴を有してもよい。その様な変更または改良を加えた形態も本発明の技術的範囲に含まれ得ることが、請求の範囲の記載から明らかである。
【０１４４】
請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。請求の範囲、明細書、および図面中の動作フローに関して、便宜上「まず、」、「次に、」等を用いて説明したとしても、この順で実施することが必須であることを意味するものではない。
【符号の説明】
【０１４５】
１０、１２  電力ネットワーク、２０  管理システム、３０  電力会社、３２  電力会社端末、３５  変電装置、３７  グリッド、４０  通信ネットワーク、５０  環境情報配信装置、６０  ユーザ、７０  通信端末、７１  通信部、７３  表示部、１００  車両、１０１  バッテリ収容部、１０３  充放電量計測部、１０５  ＳＯＣ算出部、１０７  バッテリ温度計測部、１０９  回生電力充電部、１１１  位置情報取得部、１１２  日時計測部、１１３  加速度計測部、１１５  走行時間計測部、１１７  走行距離計測部、１１９  運転性向判断部、１２０  格納部、１２１  条件格納部、１２３  車両ＩＤ格納部、２００  バッテリ、２１０  格納部、２１１  使用履歴情報格納部、２１３  運転履歴格納部、２１５  使用状況履歴格納部、２１７  バッテリ情報格納部、２３０  通信部、２４０  劣化表示部、３００  ステーション、３０１  バッテリ収容部、３０３  読み書き部、３０５  充放電部、３０７  表示部、３０９  入力部、４００  管理装置、４０１  読出部、４０３  通信部、４０７  貸出処理部、４０９  充放電指示部、４１１  劣化度算出部、４１３  表示判断部、４１５  価格判断部、４１７  書込部、４２０  格納部、４２３  充放電パターン格納部、４２５  条件格納部、４２７  履歴格納部、４２９  ＩＤリスト格納部、５００  サーバ、５０１  通信部、５０３  予測部、５０５  推奨部、５０７  報奨部、５１０  格納部、５１１  報奨情報格納部、５１３  管理装置情報格納部、５１５  累積使用履歴情報格納部、１２００  コンピュータ、１２０１  ＤＶＤ−ＲＯＭ、１２１０  ホストコントローラ、１２１２  ＣＰＵ、１２１４  ＲＡＭ、１２１６  グラフィックコントローラ、１２１８  ディスプレイデバイス、１２２０  入出力コントローラ、１２２２  通信インターフェース、１２２４  ハードディスクドライブ、１２２６  ＤＶＤ−ＲＯＭドライブ、１２３０  ＲＯＭ、１２４０  入出力チップ、１２４２  キーボード
【図１】
2019181659.tif 000003
【図２】
2019181659.tif 000004
【図３】
2019181659.tif 000005
【図４】
2019181659.tif 000006
【図５】
2019181659.tif 000007
【図６】
2019181659.tif 000008
【図７】
2019181659.tif 000009
【図８】
2019181659.tif 000010
【図９】
2019181659.tif 000011
【図１０】
2019181659.tif 000012
【図１１】
2019181659.tif 000013
【図１２】
2019181659.tif 000014
【図１３】
2019181659.tif 000015
【国際調査報告】
2019181659.tif 000016
2019181659.tif 000017
2019181659.tif 000018